(57)【要約】  【課題】ワイヤレスボイスアダプタの使用形態の拡張を図り、自動車内での使用時における操作性を向上するとともに安定した使用状態を確保する。  【解決手段】ワイヤレスボイスアダプタ１１の本体１２に自動車のシガーソケットから電力の供給を受けるシガープラグ１９を備え、且つ、携帯電話機１０を載置するホルダ１３を設ける。シガーソケットから直流電力がシガープラグ１９を介してワイヤレスボイスアダプタ１１に供給され、ブルートゥース無線通信が可能になるとともに、携帯電話機１０のバッテリへ充電が行われる。【選択図】図７
2006157722.tif 000002
【特許請求の範囲】
【請求項１】
ブルートゥース送受信機を搭載し、携帯電話機に接続されて外部の装置とブルートゥース無線通信を行うワイヤレスボイスアダプタにおいて、
本体に自動車のシガーソケットから電力の供給を受ける電源アダプタを備え、且つ、前記携帯電話機を載置するホルダを設けたことを特徴とするワイヤレスボイスアダプタ。
【請求項２】
上記電源アダプタを上記シガーソケットへ接続した状態で、上記ホルダに載置された携帯電話機と本体の電気回路とが接続するように形成された請求項１記載のワイヤレスボイスアダプタ。
【請求項３】
上記シガーソケットから電力の供給を受けて携帯電話機への充電が可能に形成された請求項１または２記載のワイヤレスボイスアダプタ。
【発明の詳細な説明】
【技術分野】
【０００１】
本発明は携帯電話機に接続されて外部機器とブルートゥース無線通信を行うワイヤレスボイスアダプタに関するものであり、特に、自動車内での使用時における操作性を向上したワイヤレスボイスアダプタに関するものである。
【背景技術】
【０００２】
従来、携帯電話機にブルートゥース通信部を内蔵し、または、ブルートゥース通信部を備えた別体の通信機を携帯電話機に接続して、マイクロホンとスピーカとブルートゥース通信部を備えたハンズフリー装置と前記携帯電話機との間でブルートゥース無線通信を行い、ハンズフリー装置のマイクロホンに入力された送話音声が他の携帯電話機に送信されるとともに、他の携帯電話機から受信した受話音声がハンズフリー装置のスピーカから出力されてハンズフリー通話が行えるように構成した通話システムが知られている（例えば、特許文献１参照）。
【特許文献１】特開２００２−１７１３３６号公報
【発明の開示】
【発明が解決しようとする課題】
【０００３】
特許文献１記載の発明は、ブルートゥース通信部を備えた別体の通信機（ワイヤレスボイスアダプタ）を携帯電話機に接続してハンズフリー通話が行えるため、複数の携帯電話機で一つのワイヤレスボイスアダプタを交替で使用することができる。しかし、当該ワイヤレスボイスアダプタは他のインターフェースを備えていないため、ハンズフリー通信以外の他の外部装置とブルートゥース無線通信を利用して使用形態の拡張を図ることができない。
【０００４】
ここで、現行のワイヤレスボイスアダプタは携帯電話機とともに持ち運びを前提として使用されるため、予めＡＣアダプタを接続して本体に内蔵されたバッテリを充電した後に、ＡＣアダプタを取り外して、本体のみを持ち運んで使用される。従って、自動車内で使用する場合もワイヤレスボイスアダプタを把持するか、或いは、座席に仮置きして使用する。また、内蔵のバッテリが消耗して電圧が低下した場合は充電する必要があるが、自動車内ではＡＣアダプタを使用することができないため、ワイヤレスボイスアダプタが使用不可能に陥るという不具合がある。
【０００５】
自動車のシガーソケットから電力の供給を受ける電源アダプタに、ワイヤレスボイスアダプタの本体を接続できるようにして、シガーソケットから直流電力が電源アダプタを介してワイヤレスボイスアダプタに供給されるように構成することも考えられるが、アダプタ同士を接続させて、更に、携帯電話機を接続すると、安定した状態に保持できない虞がある。また、複数の接続箇所が存在すると接触不良や不慮脱落が起きやすく、然るときは、ブルートゥース無線通信が中断して通信不能に陥る。
【０００６】
そこで、ワイヤレスボイスアダプタの使用形態の拡張を図り、自動車内での使用時における操作性を向上するとともに安定した使用状態を確保するために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、ブルートゥース送受信機を搭載し、携帯電話機に接続されて外部の装置とブルートゥース無線通信を行うワイヤレスボイスアダプタにおいて、本体に自動車のシガーソケットから電力の供給を受ける電源アダプタを備え、且つ、前記携帯電話機を載置するホルダを設けたワイヤレスボイスアダプタを提供する。
【０００８】
この構成によれば、ワイヤレスボイスアダプタの本体に備えた電源アダプタを自動車のシガーソケットへ差し込めば、自動車のバッテリに蓄えられている直流電力が、シガーソケットから直接ワイヤレスボイスアダプタへ電力が供給されてブルートゥース無線通信が可能な状態となる。また、ワイヤレスボイスアダプタに内蔵されているバッテリの電圧が低下している場合は、シガーソケットから供給される電力によって内蔵バッテリが充電される。
【０００９】
請求項２記載の発明は、上記電源アダプタを上記シガーソケットへ接続した状態で、上記ホルダに載置された携帯電話機と本体の電気回路とが接続するように形成されたワイヤレスボイスアダプタを提供する。
【００１０】
この構成によれば、シガーソケットに差し込まれているワイヤレスボイスアダプタのホルダに携帯電話機を載置すれば、携帯電話機とワイヤレスボイスアダプタの電気回路とが接続されて、ブルートゥース無線通信が可能な状態となる。
【００１１】
請求項３記載の発明は、上記シガーソケットから電力の供給を受けて携帯電話機への充電が可能に形成されたワイヤレスボイスアダプタを提供する。
【００１２】
この構成によれば、自動車のシガーソケットに差し込まれているワイヤレスボイスアダプタのホルダに携帯電話機を載置すれば、シガーソケットからワイヤレスボイスアダプタに供給される電力が携帯電話機へ転送されて、携帯電話機のバッテリへ充電が行われる。
【発明の効果】
【００１３】
請求項１記載の発明は、本体に自動車のシガーソケットから電力の供給を受ける電源アダプタを備え、且つ、携帯電話機を載置するホルダを設けているので、シガーソケットから直流電力が電源アダプタを介してワイヤレスボイスアダプタに入力されてブルートゥース無線通信が可能となる。本体に内蔵したバッテリの電力に依存しないため、自動車内での長時間に亙っての使用が可能であり、内蔵バッテリの充電も行なうことができ、ワイヤレスボイスアダプタの使用形態の拡張を図ることが可能となるとともに、自動車内での使用時における操作性を向上することができる。また、電源アダプタが本体と一体的に設けられているため、接続箇所が減少して接触不良や不慮脱落する虞がなく、ブルートゥース無線通信が中断して通信不能に陥るという不具合を防止できる。
【００１４】
請求項２記載の発明は、電源アダプタをシガーソケットへ接続した状態で、ホルダに載置された携帯電話機と本体の電気回路とが接続するように形成されているので、自動車のシガーソケットにワイヤレスボイスアダプタを差し込んでおけば、携帯電話機をホルダに載置するだけで任意のときにブルートゥース無線通信を行なうことができ、請求項１記載の発明の効果に加えて、ワイヤレスボイスアダプタと携帯電話機の双方が安定した状態に保持され、自動車内での使用時におけるクレードルとして操作性を向上することができる。
【００１５】
請求項３記載の発明は、シガーソケットから電力の供給を受けて携帯電話機への充電が可能に形成されているので、ワイヤレスボイスアダプタのホルダに携帯電話機を載置して使用中であっても、携帯電話機を充電することができ、請求項１または２記載の発明の効果に加えて、携帯電話機の充電に際して、その都度、ワイヤレスボイスアダプタを取り外して携帯電話用の充電器に接続する手間が省け、携帯電話機専用の充電器の持ち運びが不要で且つ充電作業も簡便となる。
【発明を実施するための最良の形態】
【００１６】
以下、本発明に係るワイヤレスボイスアダプタについて、好適な実施例をあげて説明する。ワイヤレスボイスアダプタの使用形態の拡張を図り、自動車内での使用時における操作性を向上するとともに安定した使用状態を確保するという目的を、ブルートゥース送受信機を搭載し、携帯電話機に接続されて外部の装置とブルートゥース無線通信を行うワイヤレスボイスアダプタにおいて、本体に自動車のシガーソケットから電力の供給を受ける電源アダプタを備え、且つ、前記携帯電話機を載置するホルダを設けたことにより実現した。
【実施例】
【００１７】
図１乃至図４は本発明に係るワイヤレスボイスアダプタ１１を示し、図１は正面図、図２は右側面、図３は底面図、図４は左側面図である。ワイヤレスボイスアダプタの本体１２の上面部に携帯電話機を設置するホルダ１３が凹設されている。該ホルダ１３は上面及び前面上部が開口され、その内底部に携帯電話機の充電端子へ接続するためのプラグ１３ａが突設されている。そして、該プラグ１３ａを携帯電話機の充電端子へ挿入して双方の端子同士を接続することにより、携帯電話機とワイヤレスボイスアダプタ１１との間で信号の伝送が可能となる。
【００１８】
前記本体１２の正面にはプッシュボタン１４ａ，１４ｂと液晶表示部（ＬＣＤ）１５が設けられており、各々のプッシュボタン１４ａ，１４ｂは予め設定された回数及び組み合わせによるプッシュ操作で、例えば電源のオンオフ、ブルートゥース無線通信の送受信開始終了、リンクキーの設定や変更などが実行される。また、液晶表示部１５にはブルートゥース無線通信のリンクキーが表示される。ブルートゥース無線通信を行う際にリンクキーによって機器接続の認証を行うことにより、セキュリティの向上を図るように構成されている。
【００１９】
このように、本体１２にプッシュボタン１４ａ，１４ｂと液晶表示部１５を設けたことにより、ハンズフリー装置などの外部装置だけではなく、当該ワイヤレスボイスアダプタ１１でもブルートゥース無線通信のリンクキーの設定や変更が可能となり、利便性が著しく向上する。
【００２０】
前記本体１２の右側面にはＵＳＢインターフェースコネクタ（以下ＵＳＢポートという）１６が設けられ、後述するように、該ＵＳＢポート１６にＵＳＢケーブルなどを介してＵＳＢ接続可能な機器を接続すれば、接続された機器がワイヤレスボイスアダプタ１１のデバイスとして使用できるように形成されている。
【００２１】
前記本体１２の底面には凹部１７が設けられ、この凹部１７の正面側位置にＵＳＢプラグ１８の基端部１８ａを枢着してあり、図示例では、該ＵＳＢプラグ１８が折りたたまれて、本体１２の凹部１７内に収納された状態である。また、前記本体１２の背面には自動車のシガーソケットへ挿入するシガープラグ１９が固設され、後述するように、自動車のシガーソケットから電力の供給を受ける電源アダプタとして形成されている。一方、前記本体１２の左側面に音楽データをケーブル出力するための外部出力コネクタ２０が設けられ、この外部出力コネクタ２０にオーディオケーブルを介して再生装置を接続できるように構成されている。
【００２２】
ここで、前記本体１２の底面の凹部１７に格納されているＵＳＢプラグ１８の先端部を引き起こして回動すれば、図２及び図３の二点鎖線で示すように、前記ＵＳＢプラグ１８が凹部１７から本体１２の外部へ突出し、デテント機構（図示せず）により、ワイヤレスボイスアダプタ１１の本体１２の前方へ突出した状態で固定される。後述するように、ワイヤレスボイスアダプタ１１をコンピュータなどのＵＳＢポートに接続する際には、前記ＵＳＢプラグ１８を突出状態にし、一方、ワイヤレスボイスアダプタ１１を自動車のシガーソケットに挿入して使用する場合或いは運搬する場合は、前記ＵＳＢプラグ１８を本体１２に設けた凹部１７内に格納すれば、突起物がなくなって極めてコンパクトになる。
【００２３】
図５はワイヤレスボイスアダプタ１１のブロック図であり、前記本体１２のホルダ１３内に設けられているプラグ１３ａを介して携帯電話機１０が接続され、当該携帯電話機１０とハンズフリー装置（図示せず）との間でブルートゥース無線通信を行う場合は、先ずプッシュボタン１４ａ，１４ｂの操作によりブルートゥース無線通信をオンにすると、液晶表示部１５にリンクキーが表示されてブルートゥース無線通信開始の認証が行われる。前述したように、各々のプッシュボタン１４ａ，１４ｂは予め設定された回数及び組み合わせによるプッシュ操作で、ハンズフリー装置などの外部装置だけではなく、当該ワイヤレスボイスアダプタ１１でもブルートゥース無線通信のリンクキーの設定や変更が可能である。
【００２４】
他の携帯電話機から受信した受話音声信号はプラグ１３ａからＩ／Ｏ（入出力装置）２１を経て制御部２２に入力され、この受話音声信号が制御部２２からインターフェース２３を介してブルートゥース通信部２４へ出力され、該ブルートゥース通信部２４からブルートゥース無線通信でハンズフリー装置へ送信される。一方、ハンズフリー装置のマイクロホンに入力された送話音声信号はブルートゥース無線通信で送信され、前記ブルートゥース通信部２４で受信されるとインターフェース２３を介して制御部２２へ入力され、Ｉ／Ｏ２１を経て当該携帯電話機１０から他の携帯電話機へ送られる。
【００２５】
ここで、当該ワイヤレスボイスアダプタ１１は、携帯電話機１０に接続してハンズフリー装置への無線通信手段として使用するだけではなく、ワイヤレスボイスアダプタ１１を単独で使用することができる。前記ＵＳＢポート１６にＵＳＢ機器が接続されると、制御部２２によりＵＳＢポート１６に接続された外部機器が認識されて、後述するように、インターフェース２３を介して制御部２２と信号の入出力が行われる。また、ＵＳＢプラグ１８をコンピュータなどの外部装置のＵＳＢポートへ接続すれば、ブルートゥース無線通信をはじめとして記憶装置など当該ワイヤレスボイスアダプタ１１が備えている各種機能を、外部装置のデバイスとして使用することができる。
【００２６】
前記本体１２の背面に突設されたシガープラグ１９を自動車のシガーソケット（図示せず）に接続することにより、自動車のシガーソケットから直流電力が入力され、この直流電力が本体１２内の電子回路に供給され、或いは、本体１２に内蔵されているバッテリ２５に充電される。
【００２７】
そして、前記外部出力コネクタ２０にオーディオケーブルを介して再生装置を接続すれば、後述するように、インターフェース２３を介して制御部２２と信号の入出力が行われる。更に、ワイヤレスボイスアダプタ１１にはＭＰ３再生装置２６が設けられ、後述するように、制御部２２の制御によりワイヤレスボイスアダプタ１１の外部から読み込まれたＭＰ３データが、該ＭＰ３再生装置２６にてアナログ信号にデコードされる。また、インターフェース２３に超小型のハードディスクドライブ（ＨＤＤ）２７を接続すれば、記憶装置としても使用することができる。
【００２８】
尚、記憶装置としては、前記ハードディスクドライブ２７に代えて、フラッシュメモリ（図示せず）を搭載することもできる。フラッシュメモリの場合は、記憶容量がハードディスクドライブには及ばないものの、機械的動作部分がないため、機械的故障の発生が皆無であり、軽量且つコンパクト化に寄与できる。
【００２９】
図６及び図７は当該ワイヤレスボイスアダプタ１１の自動車内での一般的な使用形態を示し、ワイヤレスボイスアダプタ１１の本体１２に凹設されているホルダ１３に携帯電話機１０を載置すれば、ホルダ１３内に設けられているプラグ１３ａに携帯電話機１０の充電端子が挿入されて、携帯電話機１０とワイヤレスボイスアダプタ１１の電気回路とが接続される。
【００３０】
斯くして、自動車のバッテリに蓄えられている直流電力が、シガーソケットからワイヤレスボイスアダプタ１１の電子回路へ電力が供給され、携帯電話機１０とハンズフリー装置（図示せず）との間でブルートゥース無線通信を行うことができる。即ち、ハンズフリー装置のマイクロホンに入力された送話音声が他の携帯電話機に送信されるとともに、他の携帯電話機から受信した受話音声がハンズフリー装置のスピーカ（またはイヤホン）から出力されてハンズフリー通話を安定して行うことができる。
【００３１】
また、の本体１２に内蔵されているバッテリ２５の電圧が低下している場合は、シガーソケットから供給される直流電力によって内蔵のバッテリ２５が充電される。更に、携帯電話機１０に内蔵されているバッテリの電圧が低下した場合は、シガーソケットから電源アダプタ４６を介してワイヤレスボイスアダプタ１１に供給される電力を携帯電話機１０へ転送し、携帯電話機１０の充電を行うことができる。
【００３２】
携帯電話機１０やワイヤレスボイスアダプタ１１を自動車のシートなどに仮置きした状態に比べて、携帯電話機１０とワイヤレスボイスアダプタ１１の双方が安定した状態に保持されるとともに、携帯電話機１０の充電に際して、その都度、ワイヤレスボイスアダプタ１１を取り外して携帯電話用の充電器に接続する手間が省け、しかも、携帯電話機専用の充電器の持ち運びが不要で且つ充電作業も簡便となる。このように、携帯電話機１０をホルダ１３に載置するだけで任意のときにブルートゥース無線通信や充電を行なうことができ、自動車内での使用時におけるクレードルとして操作性を向上することができる。
【００３３】
図８に示すように、前記ＵＳＢポート１６にＵＳＢフラッシュメモリ２８のプラグ２８ａを挿入して接続すれば、該ＵＳＢフラッシュメモリ２８をワイヤレスボイスアダプタ１１の外部メモリとして使用することができる。該ＵＳＢフラッシュメモリ２８に予め音楽データを記憶させておくことにより、この音楽データがワイヤレスボイスアダプタ１１の制御部２２に読み込まれ、ブルートゥース通信部２４から無線通信にてブルートゥース対応の再生装置へ送信される。
【００３４】
例えば、図９に示すように、車載オーディオ装置３０へブルートゥース無線通信で音楽データを送信すれば、該車載オーディオ装置３０にて前記ＵＳＢフラッシュメモリ２８の音楽データを再生することができる。また、同図に示すように、ブルートゥース対応のワイヤレススピーカ３１へブルートゥース無線通信で音楽データを送信すれば、該ワイヤレススピーカ３１にて音楽データを再生することができる。
【００３５】
尚、前記ＵＳＢフラッシュメモリ２８にＭＰ３データが記憶されている場合は、前記本体１２内に設けられた制御部２２の制御により、ＭＰ３データがＵＳＢポート１６から前記ＭＰ３再生装置２６へ入力されてアナログ信号にデコードされる。そして、前述と同様に、ブルートゥース無線通信で音楽データを送信すれば、アナログ信号に変換された音楽データを車載オーディオ装置３０やワイヤレススピーカ３１で再生することができる。
【００３６】
更に、図１０に示すように、前記外部出力コネクタ２０にオーディオケーブル３２を介してオーディオ装置３３を接続すれば、前記ＵＳＢフラッシュメモリ２８に記憶されている音楽データが制御部２２の制御により、外部出力コネクタ２０からケーブル出力されて、オーディオ装置３３で音楽が再生される。また、前記外部出力コネクタ２０にヘッドホン３４を接続すれば、該ヘッドホン３４で音楽を再生することもできる。
【００３７】
尚、本実施の形態では、前記ＵＳＢポート１６に音楽データを記憶したＵＳＢフラッシュメモリ２８を接続した例を説明したが、ＵＳＢ接続可能な機器であれば他のデバイスを接続して使用することも可能である。図示は省略するが、例えばメモリーカード用コネクタを前記ＵＳＢポート１６に接続し、該コネクタに挿入されたフラッシュメモリカードのデータをワイヤレスボイスアダプタ１１に読み込むこともできる。
【００３８】
図１１は当該ワイヤレスボイスアダプタ１１をコンピュータ４０に接続する使用形態を示し、図２及び図３にて説明したように、前記ワイヤレスボイスアダプタ１１のＵＳＢプラグ１８を凹部１７から引き起こして突出させた状態にし、図１２に示すコンピュータ４０に設けられているＵＳＢポート４１にワイヤレスボイスアダプタ１１のＵＳＢプラグ１８を差し込んで接続すれば、コンピュータ４０がＵＳＢポート４１に接続された当該ワイヤレスボイスアダプタ１１をＵＳＢ機器として自動的に認識して、コンピュータ４０のデバイスとして使用できる。
【００３９】
従って、ブルートゥース送受信機を搭載していないコンピュータであっても、ＵＳＢポート４１に当該ワイヤレスボイスアダプタ１１を接続すれば、極めて簡便に外部の装置とブルートゥース無線通信を行うことが可能となる。また、当該ワイヤレスボイスアダプタ１１に内蔵されているハードディスクドライブ２７をコンピュータ４０の外部記憶装置として使用すれば、簡単に着脱可能なリムーバブルディスクとして使用することができる。
【００４０】
例えば、コンピュータ４０に記憶されている音楽データをワイヤレスボイスアダプタ１１へ伝送すれば、ワイヤレスボイスアダプタ１１に設けられたブルートゥース通信部２４から音楽データが無線通信により外部へ送信され、ワイヤレスでブルートゥース対応の再生装置で音楽を再生することが可能となる。また、ワイヤレスボイスアダプタ１１に搭載されているハードディスクドライブ２７に音楽データを記憶させておき、該ワイヤレスボイスアダプタ１１をこのコンピュータ４０から取り外した後に、他のコンピュータや再生装置などのＵＳＢポートへ接続して再生することもでき、リムーバブルメモリとしても使用可能である。
【００４１】
また、当該ワイヤレスボイスアダプタ１１をコンピュータ４０のＵＳＢポート４１へ接続する際に、ワイヤレスＵＳＢドングルとして機能させることも可能であり、然るときは、該ワイヤレスボイスアダプタ１１を介してワイヤレスソリューションを簡単に追加構築することができ、不正コピーの防止にも寄与できる。
【００４２】
尚、本発明は、本発明の精神を逸脱しない限り種々の改変を為すことができ、そして、本発明が該改変されたものに及ぶことは当然である。
【図面の簡単な説明】
【００４３】
【図１】ワイヤレスボイスアダプタの正面図。
【図２】ワイヤレスボイスアダプタの右側面図。
【図３】ワイヤレスボイスアダプタの底面図。
【図４】ワイヤレスボイスアダプタの左側面図。
【図５】ワイヤレスボイスアダプタのブロック図。
【図６】左側面図。
【図７】ワイヤレスボイスアダプタの自動車内での使用形態を示す斜視図。
【図８】ワイヤレスボイスアダプタのＵＳＢポートにＵＳＢフラッシュメモリを接続する使用形態を示す正面図。
【図９】ワイヤレスボイスアダプタからブルートゥース無線通信により音楽データを伝送する使用形態を示す解説図。
【図１０】ワイヤレスボイスアダプタからケーブル出力により音楽データを伝送する使用形態を示す解説図。
【図１１】ワイヤレスボイスアダプタをコンピュータのＵＳＢポートに接続する使用形態を示す斜視図。
【符号の説明】
【００４４】
１０  携帯電話機
１１  ワイヤレスボイスアダプタ
１２  本体
１３  ホルダ
１３ａ  プラグ
１４ａ，１４ｂ  ブッシュボタン
１５  液晶表示部（ＬＣＤ）
１６  ＵＳＢインターフェースコネクタ（ＵＳＢポート）
１７  凹部
１８  ＵＳＢプラグ
１９  シガープラグ
２０  外部出力コネクタ
２１  Ｉ／Ｏ
２２  制御部
２３  インターフェース
２４  ブルートゥース通信部
２５  バッテリ
２６  ＭＰ３再生装置
２７  ハードディスクドライブ（ＨＤＤ）
【図１】
2006157722.tif 000003
【図２】
2006157722.tif 000004
【図３】
2006157722.tif 000005
【図４】
2006157722.tif 000006
【図５】
2006157722.tif 000007
【図６】
2006157722.tif 000008
【図７】
2006157722.tif 000009
【図８】
2006157722.tif 000010
【図９】
2006157722.tif 000011
【図１０】
2006157722.tif 000012
【図１１】
2006157722.tif 000013